(57)【要約】      （修正有）【課題】静電気に起因する不具合の解消に要する時間を更に低減する。【解決手段】第１ダミー電極は、セグメント内領域と重なるように設けられる第１ダミー部位と第１ダミー引き回し配線を有し、第２電極の１つは、第１ダミー部位と重なる第２部位と第２引き回し配線を有しており、第１ダミー引き回し配線と第２引き回し配線がシール材内部又は近傍の接続部を介して相互に導通することによって第１ダミー部位と第２部位とが同電位化する、液晶表示装置である。【選択図】図２
2017211606.tif 000002
【特許請求の範囲】
【請求項１】
複数の第１電極及び第１ダミー電極を有する第１基板と、
複数の第２電極を有する第２基板と、
前記第１基板と前記第２基板の間に設けられる液晶層と、
前記液晶層を囲んで前記第１基板と前記第２基板との間に設けられるシール材と、
前記シール材近傍又は内部に設けられて前記第１基板と前記第２基板の間で導通を行う導通部と
を含み、
前記シール材に囲まれる領域には、各々が１つの意味を有する図柄を表示するために必要な複数のセグメント表示部の全てを含む最小限領域である複数の単位表示領域と、平面視において当該各単位表示領域の相互間に存在するセグメント間領域と、平面視において前記複数のセグメント表示部のいくつかに囲まれる内部領域であるセグメント内領域が含まれており、
前記複数のセグメント表示部のそれぞれは、前記複数の第１電極の１つと前記複数の第２電極の１つの重なる領域において画定されており、
前記第１ダミー電極は、前記セグメント内領域の少なくとも一部と重なるように設けられる第１ダミー部位と、前記セグメント表示部の何れか２つの間を通して前記第１ダミー部位から前記単位表示領域の外側を通って前記導通部へ延びる第１ダミー引き回し配線を有しており、
前記複数の第２電極の１つは、前記第１ダミー電極の前記第１ダミー部位と重なる第２部位と、当該第２部位から前記単位表示領域の外側を通って前記導通部へ延びる第２引き回し配線を有しており、
前記第１ダミー引き回し配線と前記第２引き回し配線とが前記接続部を介して相互に導通することによって前記第１ダミー部位と前記第２部位とが同電位化する、
液晶表示装置。
【請求項２】
前記第２基板に設けられた第２ダミー電極を更に含み、
前記第２ダミー電極は、前記セグメント内領域の少なくとも一部と重なるように設けられる第２ダミー部位と、前記セグメント表示部の何れか２つの間を通して前記第２ダミー部位から前記単位表示領域の外側を通って前記導通部へ延びる第２ダミー引き回し配線を有しており、
前記複数の第１電極の１つは、前記第２ダミー電極の前記第２ダミー部位と重なる第１部位と、当該第１部位から前記単位表示領域の外側を通って前記導通部へ延びる第１引き回し配線を有しており、
前記第２ダミー引き回し配線と前記第１引き回し配線とが前記接続部を介して相互に導通することによって前記第１部位と前記第２ダミー部位とが同電位化する、
請求項１に記載の液晶表示装置。
【請求項３】
前記第１基板に設けられた第３ダミー電極及び前記第２基板に設けられた第４ダミー電極を更に含み、
前記第３ダミー電極は、前記セグメント間領域の少なくとも一部と重なる第３ダミー部位と、当該第３ダミー部位から前記導通部へ延びる第３ダミー引き回し配線とを有しており、
前記第４ダミー電極は、前記セグメント間領域において前記第３ダミー電極の少なくとも一部と重なる第４ダミー部位と、当該第４ダミー部位から前記導通部へ延びる第４ダミー引き回し配線とを有しており、
前記第３ダミー引き回し配線と前記第４ダミー引き回し配線とが前記接続部を介して相互に導通することによって前記第３ダミー部位と前記第４ダミー部位とが同電位化する、
請求項１又は２に記載の液晶表示装置。
【請求項４】
前記第１基板に設けられた第５ダミー電極及び前記第２基板に設けられた第６ダミー電極を更に含み、
前記第５ダミー電極と前記第６ダミー電極は、それぞれ平面視において前記単位表示領域の外側に配置され、かつ前記導電部において相互に導通して同電位化されている、
請求項１〜３の何れか１項に記載の液晶表示装置。
【発明の詳細な説明】
【技術分野】
【０００１】
本発明は、セグメント表示型の液晶表示装置において外部要因により発生する静電気に起因する不具合を抑制する技術に関する。
【背景技術】
【０００２】
一般的な液晶表示装置は、一対の基板と、各基板の一面に設けられる電極と、各基板の間に設けられる液晶層と、各基板の外側に設けられる一対の偏光板などを主な構成として備えている。このような液晶表示装置においては、例えば使用開始される前に外部に傷が付くことを防ぐために、各偏光板の表面に保護フィルムが設けられることがある。この場合、保護フィルムを剥離した際に静電気が生じて液晶表示装置が帯電することにより、本来表示に用いる部分ではない領域（非表示部）において液晶層に配向の変化がもたらされ、外観上で表示の変化として視認できる状態となる。このような場合に、その表示の変化した状態が消失するまでには長い時間を要する場合がある。このような不具合は、保護フィルムを剥離する際に限らず、外部要因により発生する静電気に起因して生じ得るものでもある。
【０００３】
上記のような静電気に起因する不都合に関して、例えば特開２００８−１７０８１２号公報（特許文献１）には、静電気用アースパターンを液晶表示領域の外周部に形成し、この静電気用アースパターンの一端をＧＮＤ端子に接続し且つ他端を電気的に開放したという構成を備えることにより、静電気の除去と耐ノイズ性を向上させて表示誤動作の発生を抑える液晶表示素子が開示されている。
【０００４】
また、例えば特開平１０−１０５５１号公報（特許文献２）には、信号電極を形成した上基板と、走査電極を形成した下基板に、それぞれの電極とは絶縁されて、かつ液晶封入領域内からシール材の外側に延出された一対のダミー電極を配置し、少なくともシール材の外側のダミー電極間に点状の導電部材を設置して両ダミー電極の間を相互に電気的に接続することにより、各基板で溜まった電荷を移動できるようにした液晶表示素子が開示されている。
【０００５】
また、例えば特開２００８−４０３０７号公報（特許文献３）には、一方の透明基板に、文字や図形を表わす電極及び引き出しリードからなるセグメント電極と、このセグメント電極に対して独立形成した導電膜部とを有する透明電極を設け、他方の透明基板に、文字や図形を表わす電極及び引き出しリードからなるコモン電極と、このコモン電極に対して独立形成した導電膜部とを有する透明電極を設け、導電膜部同士の間を電気接続した構成の液晶表示装置が開示されている。
【０００６】
ところで、セグメント表示型の液晶表示装置においては、例えば複数のセグメント表示部を組み合わせて１つの意味を有する図柄（数字など）を表現する単位表示領域を複数備えている場合が多い。例えば、数桁の数字を表現するセグメント表示型の液晶表示装置の場合であれば、上記した複数のセグメント表示部で構成される単位表示領域を左右方向に並べて配置することになる。このようなセグメント表示型の液晶表示装置においては、上記した従来技術によっても、静電気への対策としては未だ不十分であり、各単位表示領域の内部領域（セグメント内領域）などにおいて表示不具合が生じる場合がある。
【先行技術文献】
【特許文献】
【０００７】
【特許文献１】特開２００８−１７０８１２号公報
【特許文献２】特開平１０−１０５５１号公報
【特許文献３】特開２００８−４０３０７号公報
【発明の概要】
【発明が解決しようとする課題】
【０００８】
本発明に係る具体的態様は、静電気に起因する不具合の解消に要する時間を更に低減することが可能な技術を提供することを目的の１つとする。
【課題を解決するための手段】
【０００９】
本発明に係る一態様の液晶表示装置は、（ａ）複数の第１電極及び第１ダミー電極を有する第１基板と、（ｂ）複数の第２電極を有する第２基板と、（ｃ）前記第１基板と前記第２基板の間に設けられる液晶層と、（ｄ）前記液晶層を囲んで前記第１基板と前記第２基板との間に設けられるシール材と、（ｅ）前記シール材近傍又は内部に設けられて前記第１基板と前記第２基板の間で導通を行う導通部とを含み、（ｆ）前記シール材に囲まれる領域には、各々が１つの意味を有する図柄を表示するために必要な複数のセグメント表示部の全てを含む最小限領域である複数の単位表示領域と、平面視において当該各単位表示領域の相互間に存在するセグメント間領域と、平面視において前記複数のセグメント表示部のいくつかに囲まれる内部領域であるセグメント内領域が含まれており、（ｇ）前記複数のセグメント表示部のそれぞれは、前記複数の第１電極の１つと前記複数の第２電極の１つの重なる領域において画定されており、（ｈ）前記第１ダミー電極は、前記セグメント内領域の少なくとも一部と重なるように設けられる第１ダミー部位と、前記セグメント表示部の何れか２つの間を通して前記第１ダミー部位から前記単位表示領域の外側を通って前記導通部へ延びる第１ダミー引き回し配線を有しており、（ｉ）前記複数の第２電極の１つは、前記第１ダミー電極の前記第１ダミー部位と重なる第２部位と、当該第２部位から前記単位表示領域の外側を通って前記導通部へ延びる第２引き回し配線を有しており、（ｊ）前記第１ダミー引き回し配線と前記第２引き回し配線とが前記接続部を介して相互に導通することによって前記第１ダミー部位と前記第２部位とが同電位化する、液晶表示装置である。
【００１０】
上記構成によれば、静電気に起因する不具合の解消に要する時間を更に低減することが可能となる。
【図面の簡単な説明】
【００１１】
【図１】図１は、本実施形態の液晶表示装置の構成を示す断面図である。
【図２】図２は、本実施形態の液晶表示装置の構成を示す平面図である。
【図３】図３は、本実施形態の液晶表示装置における第２基板の構成を示す平面図である。
【図４】図４は、本実施形態の液晶表示装置における第１基板の構成を示す平面図である。
【図５】図５は、第２基板の一面に設けられる絶縁膜の構成を示す平面図である。
【図６】図６は、図３に示すＡ部の拡大図である。
【図７】図７は、図３に示すＢ部の拡大図である。
【図８】図８は、図４に示すＤ部の拡大図である。
【図９】図９は、図４に示すＦ部の拡大図である。
【発明を実施するための形態】
【００１２】
図１は、本実施形態の液晶表示装置の構成を示す断面図である。液晶表示装置は、対向配置された第１基板１１および第２基板１２と、第１基板１１に設けられた第１電極１３と、第２基板１２に設けられた第２電極１４と、第１基板１１と第２基板１２の間に配置された液晶層１７を基本構成として備える。本実施形態の液晶表示装置は、電極同士の重なり合う領域が表示したい文字や図案を形作るように構成され、基本的に予め定めた文字等のみを表示可能であり、概ね、有効表示領域内における面積比で多くとも７０％以下、通常は５０％以下の領域が文字等の表示に寄与するものであるセグメント表示型の液晶表示装置である。なお、液晶表示装置は、セグメント表示型とドットマトリクス型が混合したものであってもよい。
【００１３】
第１基板１１および第２基板１２は、それぞれ、平面視において矩形状の基板であり、互いに対向して配置されている。第１基板１１、第２基板１２としては、例えばガラス基板、プラスチック基板等の透明基板を用いることができる。図示のように、第１基板１１と第２基板１２の間には、例えば多数のスペーサーが均一に分散配置されており、それらスペーサーによって両基板の間隙が所望の大きさ（例えば数μｍ程度）に保たれている。
【００１４】
第１電極１３は、第１基板１１の一面側に設けられている。同様に、第２電極１４は、第２基板１２の一面側に設けられている。第１電極１３および第２電極１４は、それぞれ例えばインジウム錫酸化物（ＩＴＯ）などの透明導電膜を適宜パターニングすることによって構成されている。なお、図示を省略しているが各電極の上面にさらに絶縁膜が設けられていてもよい。
【００１５】
第１配向膜１５は、第１基板１１の一面側に第１電極１３を覆うようにして設けられている。第２配向膜１６は、第２基板１２の一面側に第２電極１４を覆うようにして設けられている。これらの第１配向膜１５、第２配向膜１６としては、液晶層１７の配向状態を垂直配向に規制する垂直配向膜が用いられている。各配向膜１５、１６は、ラビング処理等の一軸配向処理が施されており、一方向への配向規制力を有している。各配向膜１５、１６への配向処理の方向は、例えば互い違い（アンチパラレル）となるように設定される。
【００１６】
液晶層１７は、第１基板１１と第２基板１２の間に設けられている。本実施形態においては、誘電率異方性Δεが負でありカイラル材を含まず、流動性を有する（すなわち液状体）の液晶材料を用いて液晶層１７が構成される。本実施形態の液晶層１７は、電圧無印加時における液晶分子の配向方向が一方向に傾斜した状態となり、第１基板１１および第２基板１２の各基板面に対して概ね、８８°以上９０°未満の範囲内のプレティルト角を有する略垂直配向となるように設定されている。そして、第１電極１３と第２電極１４の間に電圧を印加した際には、液晶層１７の液晶分子は配向処理によって規制された方向へ配向する。
【００１７】
第１偏光板２１は、第１基板１１の外側に配置されている。同様に、第２偏光板２２は、第２基板１２の外側に配置されている。第１偏光板２１と第２偏光板２２は、例えば、各々の吸収軸が互いに略直交するように配置されている。また、各偏光板と各基板との間には適宜Ｃプレート等の視角補償板が配置されてもよい。
【００１８】
図２は、液晶表示装置の構成を示す平面図である。図示のように本実施形態の液晶表示装置は、７つのセグメント表示部を組み合わせて１つの意味を有する図柄である１つの数字を可変に表現する単位表示領域を左右方向に離間して２つ配置することにより、２桁の数字を表現するセグメント表示型の液晶表示装置である。各単位表示領域３０ａ、３０ｂをそれぞれ構成する各セグメント表示部は、それぞれがコモン電極として機能する４つの第１電極１３のいずれか１つと、それぞれがセグメント電極として機能する４つの第２電極１４のいずれか１つとの重なり合った領域として画定されており、マルチプレックス駆動されることによってそれぞれ独立に点消灯可能である。
【００１９】
取り出し電極Ｃ１、Ｃ２、Ｃ３、Ｃ４は、それぞれ第２基板１２の一面の上端側に設けられている。これらの取り出し電極Ｃ１等は、コモン電極として機能する第１電極１３へ駆動電圧を与えるためのものである。また、取り出し電極Ｓ１、Ｓ２、Ｓ３、Ｓ４は、それぞれ第２基板１２の一面の上端側に設けられている。これらの取り出し電極Ｓ１等は、セグメント電極として機能する第２電極１４へ駆動電圧を与えるためのものである。
【００２０】
シール材１９は、第１基板１１と第２基板１２との重なる領域の外縁にほぼ沿って枠状に設けられており、両基板を固定するとともに、両基板間の液晶層１７を囲んで封止する。また、シール材１９は、各基板の図中下側では、端部に沿って直線状に設けられ、かつほぼ中央の一部で途切れて開口している。この開口部は、液晶層１７を形成する際の注入口であり、封止材によって閉じられている。概ね、シール材１９に囲まれた内部領域が有効表示領域（有効表示部）に対応し、そのうち、セグメント表示部以外の部分は表示変化を生じない部分である非表示部となる。また、シール材１９は、例えばカーボン粒子、銀粒子、金コーティング粒子などの導電性粒子を含有しており、厚さ方向（第１基板１１および第２基板１２の厚さ方向）にのみ導電性を生じる異方導電性を有する。なお、シール材１９を導電材として兼用することなく、別途導電材を設けてもよい。導電材とは、例えばカーボン粒子、銀粒子、金コーティング粒子などの導電性粒子を含有する材料である。
【００２１】
ここで、「単位表示領域」とは、例えば、平面視において、１つの意味を有する図柄を表示するために必要な複数のセグメント表示部の全てを含む（すなわち囲む）最小限の領域として定義することができる。各単位表示領域３０ａ、３０ｂは、シール材１９に囲まれる内部領域に含まれており、一方向（図中左右方向）に沿って互いに離間して配置されている。また、各単位表示領域３０ａ、３０ｂの相互間に存在する領域をセグメント間領域３１とする。また、各単位表示領域３０ａ、３０ｂのそれぞれにおける各セグメント表示部に囲まれた内部の領域をセグメント内領域３２とする。
【００２２】
ここで、「セグメント間領域」とは、例えば、平面視において隣り合う単位表示領域３０ａ、３０ｂの間に挟まれる領域として定義することができる。図示の例では、セグメント間領域３１は、隣り合う各単位表示領域３０ａ、３０ｂの間において、各単位表示領域３０ａ、３０ｂの外縁の一部同士が平面視で対向する範囲に含まれる領域として定義される。
【００２３】
ここで、「セグメント内領域」とは、例えば、平面視において、１つの単位表示領域内で複数のセグメント表示部によって囲まれた領域（略閉領域）として定義することができる。図示の例では、セグメント内領域３２は、各単位表示領域３０ａ等において、４つのセグメント表示部に囲まれた領域として定義されており、各単位表示領域３０ａ等のそれぞれに２つずつ存在する。
【００２４】
以下では、セグメント間領域３１、セグメント内領域３２における静電気に起因する表示不具合を解消するための時間を短縮し得る液晶表示装置の構成について詳細に説明する。
【００２５】
図３は、本実施形態の液晶表示装置における第２基板の構成を示す平面図である。図３では、第２基板１２を第２電極１４が形成されている側から平面視した様子が示されている。本実施形態では４つの第２電極１４が含まれており、それぞれを区別するためにここでは第２電極１４ａ、１４ｂ、１４ｃ、１４ｄと表記する。各第２電極１４ａ、１４ｂ、１４ｃ、１４ｄは、各々がセグメント電極として機能するものであり、第２基板１２の一面に設けられている。各第２電極１４ａ等は、外部の駆動装置（図示せず）から電圧を印加するための各取り出し電極Ｓ１、Ｓ２、Ｓ３、Ｓ４のいずれかと接続されている。
【００２６】
第２電極１４ａは、単位表示領域３０ａの左側および中央のセグメント表示部に対応するものであり、図中上側へ向かって設けられた引き回し配線を介して取り出し電極Ｓ１と接続されている。第２電極１４ｂは、単位表示領域３０ａの右側および上下のセグメント表示部に対応するものであり、図中上側へ向かって設けられた引き回し配線を介して取り出し電極Ｓ２と接続されている。
【００２７】
第２電極１４ｃは、単位表示領域３０ｂの左側および中央のセグメント表示部に対応するものであり、図中上側へ向かって設けられた引き回し配線を介して取り出し電極Ｓ３と接続されている。第２電極１４ｄは、単位表示領域３０ｂの右側および上下のセグメント表示部に対応するものであり、図中上側へ向かって設けられた引き回し配線を介して取り出し電極Ｓ４と接続されている。
【００２８】
セグメント側ダミー電極１４０は、セグメント間領域３１の上側のほぼ半分に対応する範囲をカバーする部位を有するように設けられている。このセグメント側ダミー電極１４０は、図中上側へ向かって設けられた引き回し配線を有しており、この引き回し配線の端部は図中上側のシール材１９と重なる位置まで延びている。
【００２９】
セグメント側ダミー電極１４１は、セグメント間領域３１の下側のほぼ半分に対応する範囲をカバーする部位を有するように設けられている。このセグメント側ダミー電極１４１は、図中下側へ向かって設けられた引き回し配線を有しており、この引き回し配線の端部は図中下側のシール材１９と重なる位置まで延びている。また、このセグメント側ダミー電極１４１は、第２電極１４ｃと接続されている。
【００３０】
セグメント側ダミー電極１４２は、第２電極１４ａと第２電極１４ｂの間を埋める部位を有するようにして設けられている。このセグメント側ダミー電極１４２は、単位表示領域３０ａの下側のセグメント内領域３２の一部に対応するものである。セグメント側ダミー電極１４２は、図中下側へ向かって設けられた引き回し配線（ダミー引き回し配線）を有しており、この引き回し配線は、端部が図中下側のシール材１９と重なる位置まで延びている。
【００３１】
セグメント側ダミー電極１４３は、第２電極１４ｃと第２電極１４ｄの間を埋める部位を有するようにして設けられている。このセグメント側ダミー電極１４３は、単位表示領域３０ｂの下側のセグメント内領域３２の一部に対応するものである。セグメント側ダミー電極１４３は、図中下側へ向かって設けられた引き回し配線（ダミー引き回し配線）を有しており、この引き回し配線は、端部が図中下側のシール材１９と重なる位置まで延びている。
【００３２】
セグメント側ダミー電極１４４は、単位表示領域３０ａの左側の上下方向中央付近から図中下側の間をカバーする部位を有するように設けられている。このセグメント側ダミー電極１４４は、一方の端部が図中下側のシール材１９と重なる位置まで延びている。また、セグメント側ダミー電極１４４は、図中に点線枠で示すＡ部に設けられる引き回し配線（ダミー引き回し配線）を介して第２電極１４ａと接続されている。
【００３３】
セグメント側ダミー電極１５１、１５２、１５３、１５４は、それぞれ、第１基板１１に設けられた各第１電極１３の引き回し配線の部位を有するように設けられている。また、セグメント側ダミー電極１５１は取り出し電極Ｃ１と接続され、セグメント側ダミー電極１５２は取り出し電極Ｃ２と接続され、セグメント側ダミー電極１５３は取り出し電極Ｃ３と接続され、セグメント側ダミー電極１５４は取り出し電極Ｃ４と接続されている。この例では各セグメント側ダミー電極１５１、１５２、１５３、１５４が各取り出し電極との間を繋ぐ引き回し配線（ダミー引き回し配線）としての機能も兼ねている。
【００３４】
なお、上記において詳述した以外にも、各第２電極１４ａ等や各セグメント側ダミー電極１４０等の設けられていない領域を埋める部位を有するようにして複数のセグメント側ダミー電極が設けられており、それらのセグメント側ダミー電極は、端部が上側または下側のシール材１９と重なる位置まで延びている。それにより、第２基板１２の一面のほぼ全体が電極に覆われた状態となっている。
【００３５】
図４は、本実施形態の液晶表示装置における第１基板の構成を示す平面図である。図４では、第１基板１１を第１電極１３が形成されている側と逆側から平面視した様子が示されている。本実施形態では４つの第１電極１３が含まれており、それぞれを区別するためにここでは第１電極１３ａ、１３ｂ、１３ｃ、１３ｄと表記する。各第１電極１３ａ、１３ｂ、１３ｃ、１３ｄは、各々がコモン電極として機能するものであり、第１基板１１の一面に設けられている。各第１電極１３ａ等は、外部の駆動装置（図示せず）から電圧を印加するための各取り出し電極Ｃ１、Ｃ２、Ｃ３、Ｃ４のいずれかと接続されている。
【００３６】
第１電極１３ａは、単位表示領域３０ａの左上側および中央上側のセグメント表示部に対応する左側部位と、単位表示領域３０ｂの左上側および中央上側のセグメント表示部に対応する右側部位とを有しており、図中上側へ向かって設けられた引き回し配線を介してパッド部Ｃ１１と接続されている。このパッド部Ｃ１１は、シール材１９を介して第２基板１２側の取り出し電極Ｃ１と接続される。図示のように第１電極１３ａは、単位表示領域３０ａ、３０ｂの並ぶ方向である図中左右方向において、単位表示領域３０ａに対応する左側部位と単位表示領域３０ｂに対応する右側部位とが互いに分離し独立しており、それらの間には引き回し配線が設けられていない。左側部位、右側部位のそれぞれからは、図中上側へ向かって引き回し配線が設けられており、それらの引き回し配線は、第１基板１１の上辺側において渡り配線を介して接続されている。
【００３７】
第１電極１３ｂは、単位表示領域３０ａの右上側および中央のセグメント表示部に対応する左側部位と、単位表示領域３０ｂの右上側および中央のセグメント表示部に対応する右側部位とを有しており、図中上側へ向かって設けられた引き回し配線を介してパッド部Ｃ１２と接続されている。このパッド部Ｃ１２は、シール材１９を介して第２基板１２側の取り出し電極Ｃ２と接続される。図示のように第１電極１３ｂは、単位表示領域３０ａ、３０ｂの並ぶ方向である図中左右方向において、単位表示領域３０ａに対応する左側部位と単位表示領域３０ｂに対応する右側部位とが引き回し配線を介して接続されている。
【００３８】
第１電極１３ｃは、単位表示領域３０ａの左下側および右下側のセグメント表示部に対応する左側部位と、単位表示領域３０ｂの左下側および右下側のセグメント表示部に対応する右側部位とを有しており、図中上側へ向かって設けられた引き回し配線を介してパッド部Ｃ１３と接続されている。このパッド部Ｃ１３は、シール材１９を介して第２基板１２側の取り出し電極Ｃ３と接続される。図示のように第１電極１３ｃは、単位表示領域３０ａ、３０ｂの並ぶ方向である図中左右方向において、単位表示領域３０ａに対応する左側部位と単位表示領域３０ｂに対応する右側部位とが互いに分離し独立しており、それらの間には引き回し配線が設けられていない。左側部位、右側部位のそれぞれからは、図中下側へ向かって引き回し配線が設けられており、それらの引き回し配線は、第１基板１１の下辺側において渡り配線を介して接続されている。
【００３９】
第１電極１３ｄは、単位表示領域３０ａの中央下側のセグメント表示部に対応する左側部位と、単位表示領域３０ｂの中央下側のセグメント表示部に対応する右側部位とを有しており、図中上側へ向かって設けられた引き回し配線を介してパッド部Ｃ１４と接続されている。このパッド部Ｃ１４は、シール材１９を介して第２基板１２側の取り出し電極Ｃ４と接続される。図示のように第１電極１３ｄは、単位表示領域３０ａ、３０ｂの並ぶ方向である図中左右方向において、単位表示領域３０ａに対応する左側部位と単位表示領域３０ｂに対応する右側部位とが互いに分離し独立しており、それらの間には引き回し配線が設けられていない。左側部位、右側部位のそれぞれからは、図中下側へ向かって引き回し配線が設けられており、それらの引き回し配線は、第１基板１１の下辺側において渡り配線を介して接続されている。
【００４０】
コモン側ダミー電極１６０は、セグメント間領域３１の上側のほぼ半分に対応する範囲をカバーする部位を有するように設けられている。このコモン側ダミー電極１６０は、図中上側へ向かって設けられた引き回し配線（ダミー引き回し配線）を有しており、この引き回し配線は端部が図中上側のシール材１９と重なる位置まで延びている。また、本例のコモン側ダミー電極１６０は、第２電極１３ｂと一体化されている。このコモン側ダミー電極１６０は、第２基板１２側のセグメント側ダミー電極１４０とシール材１９を介して接続されており、それにより両電極の重なる領域が同電位化されている。
【００４１】
コモン側ダミー電極１６１は、セグメント間領域３１の下側のほぼ半分に対応する範囲をカバーする部位を有するように設けられている。このコモン側ダミー電極１６１は、図中下側へ向かって設けられた引き回し配線（ダミー引き回し配線）を有しており、この引き回し配線は端部が図中下側のシール材１９と重なる位置まで延びている。また、コモン側ダミー電極１６１は、コモン側ダミー電極１６４と接続されている。このコモン側ダミー電極１６１は、第２基板１２側のセグメント側ダミー電極１４１とシール材１９を介して接続されており、それにより両電極の重なる領域が同電位化されている。
【００４２】
コモン側ダミー電極１６２は、単位表示領域３０ａの上側のセグメント内領域３２のほぼ半分に対応する範囲（右上側の範囲）をカバーする部位を有するように設けられている。このコモン側ダミー電極１６２は、図中上側へ向かって設けられた引き回し配線（ダミー引き回し配線）を有しており、この引き回し配線は図中上側のシール材１９と重なる位置まで延びている。このコモン側ダミー電極１６２は、第２基板１２側の第２電極１４ｂとシール材１９を介して接続されており、それにより両電極の重なる領域が同電位化されている。
【００４３】
コモン側ダミー電極１６３は、単位表示領域３０ａの上側のセグメント内領域３２のほぼ半分に対応する範囲（左下側の範囲）をカバーする部位を有するように設けられている。このコモン側ダミー電極１６３は、図中に点線枠で示すＤ部を通って第１電極１３ａの右側へ延び、さらに図中上側へ向かって設けられた引き回し配線（ダミー引き回し配線）を有しており、この引き回し配線は図中上側のシール材１９と重なる位置まで延びている。このコモン側ダミー電極１６３は、第２基板１２側の第２電極１４ａとシール材１９を介して接続されており、それにより両電極の重なる領域が同電位化されている。
【００４４】
コモン側ダミー電極１６４は、単位表示領域３０ａの下側のセグメント内領域３２のほぼ半分に対応する範囲（左上側の範囲）をカバーする部位を有するように設けられている。このコモン側ダミー電極１６４は、図中に点線枠で示すＤ部を通って第１電極１３ｃの右側へ延び、さらに図中下側へ向かって設けられた引き回し配線（ダミー引き回し配線）を有しており、この引き回し配線は図中下側のシール材１９と重なる位置まで延びている。このコモン側ダミー電極１６４は、第２基板１２側のセグメント側ダミー電極１４４とシール材１９を介して接続されており、それにより両電極の重なる領域が同電位化されている。また、コモン側ダミー電極１６４は、セグメント側ダミー電極１４４を介して第２電極１４ａとも接続されてり、それにより両電極の重なる領域が同電位化されている。
【００４５】
コモン側ダミー電極１６５は、単位表示領域３０ａの下側のセグメント内領域３２のほぼ半分に対応する範囲（右下側の範囲）をカバーする部位を有するように設けられている。このコモン側ダミー電極１６５は、第１電極１３ｃと一体に設けられており、かつ図中下側へ向かって設けられた引き回し配線（ダミー引き回し配線）を有しており、この引き回し配線は図中下側のシール材１９と重なる位置まで延びている。このコモン側ダミー電極１６５は、第２基板１２側のセグメント側ダミー電極１４２とシール材１９を介して接続されており、それにより両電極の重なる領域が同電位化されている。
【００４６】
コモン側ダミー電極１６６は、単位表示領域３０ｂの上側のセグメント内領域３２のほぼ半分に対応する範囲（右上側の範囲）をカバーする部位を有するように設けられている。このコモン側ダミー電極１６６は、図中上側へ向かって設けられた引き回し配線（ダミー引き回し配線）を有しており、この引き回し配線は図中上側のシール材１９と重なる位置まで延びている。このコモン側ダミー電極１６６は、第２基板１２側の第２電極１４ｃとシール材１９を介して接続されており、それにより両電極の重なる領域が同電位化されている。
【００４７】
コモン側ダミー電極１６７は、単位表示領域３０ｂの上側のセグメント内領域３２のほぼ半分に対応する範囲（左下側の範囲）をカバーする部位を有するように設けられている。このコモン側ダミー電極１６７は、第１電極１３ａの左側部位と右側部位との間においてコモン側ダミー電極１６０よりも右側を通り、図中上側へ向かって設けられた引き回し配線（ダミー引き回し配線）を有しており、この引き回し配線は図中上側のシール材１９と重なる位置まで延びている。このコモン側ダミー電極１６７は、第２基板１２側の第２電極１４ｃとシール材１９を介して接続されており、それにより両電極の重なる領域が同電位化されている。
【００４８】
コモン側ダミー電極１６８は、単位表示領域３０ｂの下側のセグメント内領域３２のほぼ半分に対応する範囲（左上側の範囲）をカバーする部位を有するように設けられている。このコモン側ダミー電極１６８は、第１電極１３ａと第１電極１３ｃの間を通って左側へ延びる引き回し配線（ダミー引き回し配線）を介してコモン側ダミー電極１６１と接続されている。このコモン側ダミー電極１６８は、第２基板１２側のセグメント側ダミー電極１４１とシール材１９を介して接続され、かつこのセグメント側ダミー電極１４１を介して第２電極１４ｃとも接続されており、それにより両電極の重なる領域が同電位化されている。
【００４９】
コモン側ダミー電極１６９は、単位表示領域３０ｂの下側のセグメント内領域３２のほぼ半分に対応する範囲（右下側の範囲）をカバーする部位を有するように設けられている。このコモン側ダミー電極１６９は、第１電極１３ｃと一体に設けられており、かつ図中下側へ向かって設けられた引き回し配線（ダミー引き回し配線）を有しており、この引き回し配線は図中下側のシール材１９と重なる位置まで延びている。このコモン側ダミー電極１６９は、第２基板１２側のセグメント側ダミー電極１４３とシール材１９を介して接続されており、それにより両電極の重なる領域が同電位化されている。
【００５０】
コモン側ダミー電極１７１は、セグメント側ダミー電極１５１と重なる部位を有して第１基板１１に設けられており、第１電極１３ａとパッド部Ｃ１１の間を接続する引き回し配線としての機能も兼ねる。このコモン側ダミー電極１７１は、セグメント側ダミー電極１５１とシール材１９を介して接続されており、それにより両電極の重なる領域が同電位化されている。
【００５１】
コモン側ダミー電極１７２は、セグメント側ダミー電極１５２と重なる部位を有して第１基板１１に設けられており、第１電極１３ｂとパッド部Ｃ１２の間を接続する引き回し配線としての機能も兼ねる。このコモン側ダミー電極１７２は、セグメント側ダミー電極１５２とシール材１９を介して接続されており、それにより両電極の重なる領域が同電位化されている。
【００５２】
コモン側ダミー電極１７３は、セグメント側ダミー電極１５３と重なる部位を有して第１基板１１に設けられており、第１電極１３ｃとパッド部Ｃ１３の間を接続する引き回し配線としての機能も兼ねる。このコモン側ダミー電極１７３は、セグメント側ダミー電極１５３とシール材１９を介して接続されており、それにより両電極の重なる領域が同電位化されている。
【００５３】
コモン側ダミー電極１７４は、単位表示領域３０ａ、３０ｂの周囲を取り囲むようにして第１基板１１の左辺、下辺、右辺に渡ってＵ字状に設けられた部位を有している。このコモン側ダミー電極１７４は、第１電極１３ｄと一体に設けられており、この第１電極１３ｄとパッド部Ｃ１４とを接続するための引き回し配線としての機能も兼ねる。このコモン側ダミー電極１７４は、第２基板１２側のセグメント側ダミー電極１５４とシール材１９を介して接続されており、それにより両電極の重なる領域が同電位化されている。
【００５４】
コモン側ダミー電極１８１、１８２、１８３、１８４は、それぞれ、第２基板１２に設けられた各第２電極１４ａ等の引き回し配線に対応する部位を有するようにして設けられており、シール材１９を介して各第２電極１４ａ等のいずれかと接続され、同電位化されている。また、コモン側ダミー電極１８１はパッド部Ｓ１１を介して取り出し電極Ｓ１と接続され、コモン側ダミー電極１８２はパッド部Ｓ１２を介して取り出し電極Ｓ２と接続され、コモン側ダミー電極１８３はパッド部Ｓ１３を介して取り出し電極Ｓ３と接続され、コモン側ダミー電極１８４はパッド部Ｓ１４を介して取り出し電極Ｓ４と接続されている。
【００５５】
なお、上記において詳述した以外にも、各第１電極１３ａ等や各コモン側ダミー電極１６０等の設けられていない領域を埋める部位を有するようにして複数のコモン側ダミー電極が設けられており、それらのコモン側ダミー電極の端部は、上側または下側のシール材１９と重なる位置まで延びている。それにより、第１基板１１の一面のほぼ全体が電極に覆われた状態となっている。
【００５６】
図５は、第２基板の一面に設けられる絶縁膜の構成を示す平面図である。図示のように、絶縁膜６０は、シール材１９の外縁よりも内側であって第２基板１２のほぼ全体に広く形成されている。また、絶縁膜６１は、上記した渡り配線に対応する範囲をカバーするように形成されている。この例では、絶縁膜６０と絶縁膜６１とは一体に形成されている。絶縁膜６０、６１としては、例えばＳｉＯ２膜を用いることができる。このような絶縁膜を設けることで、主に各パッド部Ｓ１１、Ｓ１２、Ｓ１３、Ｓ１４、Ｃ１１、Ｃ１２、Ｃ１３、Ｃ１４（図４参照）に対応する領域など基板間で導通を図る必要のある領域以外については絶縁され、不要な導通を抑制できる。
【００５７】
図６は、図３に示すＡ部の拡大図である。セグメント側ダミー電極１４４と第２電極１４ａとを接続するための引き回し配線１９０は、第２電極１４ａにおいて２つのセグメント表示部に対応して上下に離間した部位の間を通って設けられている。同様に、第２電極１４ａから図中上側へ向かう引き回し配線１９１は、その一部が第２電極１４ａにおいて２つのセグメント表示部に対応して上下に離間した部位の間を通って設けられている。なお、図３に示すＣ部においても同様にして引き回し配線が設けられている。
【００５８】
図７は、図３に示すＢ部の拡大図である。図示のように、第２電極１４ｂの引き回し配線１１４ｂは、シール材１９と重なる領域において切り欠き部２１４ｂを有している。この切り欠き部２１４ｂは、上記した第１基板１３側の渡り配線（後述の図９参照）と引き回し配線１１４ｂとが重なる領域をより少なく（好ましくは最小限）となるように、引き回し配線１１４ｂと重なる領域の一部を取り除くようにして設けられている。なお、図７においては図示を省略するが各第２電極１４ｃ、１４ｄのそれぞれに対応する引き回し配線においても同様の切り欠き部が設けられている。
【００５９】
図８は、図４に示すＤ部の拡大図である。コモン側ダミー電極１６３の引き回し配線２００は、その一部が第１電極１３ａの一部と第１電極１３ｃの一部との間を通るように設けられている。同様に、コモン側ダミー電極１６４の引き回し配線２０１は、その一部が第１電極１３ａの一部と第１電極１３ｃの一部との間を通るように設けられている。なお、図４に示すＥ部においても同様にして引き回し配線が設けられている。このような構成により、セグメント内領域３２に対応して設けられた各コモン側ダミー電極の引き回し配線を第１基板１３の上側または下側のシール材１９と重なる位置まで設けることができる。
【００６０】
図９は、図４に示すＦ部の拡大図である。第１電極１３ａから延びる複数の引き回し配線１１３ａの相互間が第１基板１１の上辺側におけるシール材１９よりも外側の端部近傍で左右方向に延在する渡り配線２１０によって接続されている。この渡り配線２１０によって第１電極１３ａの左側部位がパッド部Ｃ１１と接続され、さらにシール材１９を介して取り出し電極Ｃ１と接続される。また、他のコモン側ダミー電極の引き回し配線１８１、１８２などの各端部や引き回し配線２００の端部などがこの部分においてシール材１９を挟んで第２基板１２側のセグメント側ダミー電極等との間で導通し、同電位化される。なお、第１基板１１の下辺側においても同様の渡り配線が設けられ、第１電極１３ｃ、１３ｄの各々の左側部位と右側部位とが接続されている。
【００６１】
以上のような構成により、セグメント間領域３１やセグメント内領域３２、さらに各第１電極、各第２電極の配置領域を除いたほとんどの領域において、第１基板１１側と第２基板１２側の双方にダミー電極が配置され、対向するダミー電極間がシール材を介して導通して同電位化される。それにより、外部から静電気が与えられたとしても速やかに除電する作用が得られるので、点灯不具合を生じず、あるいは生じたとしても早期に消灯させる効果が得られる。
【００６２】
（実施例）
次に、本発明に係る液晶表示装置の実施例について説明する。
【００６３】
第１基板および第２基板として、一面にＩＴＯからなる導電膜が形成された一対の青板ガラス基板（厚さ０．７ｍｍ）を用意する。各ガラス基板の導電膜を所望の表示図柄等に対応するパターンにするために、フォトリソグラフィーおよびエッチング処理によりパターニングを行う。
【００６４】
次に、各基板の一面（電極面）の少なくとも有効表示部を覆うようにしてＳｉＯ２等からなる絶縁膜を所望の面内パターン形状に形成する。次に、垂直配向膜を絶縁膜と同様に有効表示部内が少なくとも含まれるように塗布し、１８０℃〜２２０℃で焼成する。
【００６５】
次に、垂直配向膜を布厚２．８ｍｍ〜３．２ｍｍ程度の綿製ラビング布で一方向へラビング処理する。ラビング条件としては、完成後の液晶表示装置におけるプレティルト角が８８．５°〜８９．９°となるようにする。
【００６６】
一方の基板（例えば第１基板）の配向膜が形成された面に対し、少なくとも有効表示部より大きな領域を囲むように枠状にシール材を印刷する。シール材には径４．２μｍのガラスファイバースペーサーおよび両基板面の導通を確保するための金コーティングされたプラスティックボールがそれぞれ１．５ｗｔ％ずつ添加されている。
【００６７】
他方の基板（例えば第２基板）には、径４．０μｍのプラスティックボールスペーサーを乾式散布法により、１００個/ｍｍ２の密度で散布する。
【００６８】
第１基板、第２基板を、各々の配向膜の形成面が対向するように位置合わせして重ね合わせ、両基板をプレスした状態で１５０℃の条件で焼成する。焼成時間については、シール材が硬化するのに必要十分な時間とする。
【００６９】
次に、貼り合わせた第１基板と第２基板の間に、誘電率異方性が負の液晶材料を真空注入法にて注入し、紫外線硬化樹脂で注入口を封止後、１２０℃、１時間の熱処理を行う。
【００７０】
貼り合わせた両基板の基板面を中性洗剤で洗浄後、各基板の表面に所望の視角補償板、偏光板を上記で示した積層順番で貼り合わせる。
【００７１】
一方の基板（第２基板）側において他方の基板（第１基板）より外形が外側へ突出している部分には取り出し電極が配置されているので、それらの部分に対してリードフレーム、異方導電性フィルムを介したフレキシブルフィルム、ドライバＩＣをボンディングする。
【００７２】
最後に、取り出し電極に外部駆動回路を接続し、裏側の偏光板下に反射板またはバックライトを設けることにより、液晶表示装置が完成する。本実施例の液晶表示装置は、パネル部分の下側基板（第２基板）が縦２７．５ｍｍ×横２５ｍｍで取り出し電極部の長さは２．５ｍｍである。有効表示部は両基板が重ねられている２５ｍｍ角領域のうち、内側の約２２ｍｍとし、残り３ｍｍ内にシール部を形成している。
【００７３】
以上のようにして作製した液晶表示装置に対し、有効表示領域の中央一箇所に静電気発生装置によって±１８ｋＶの静電気を印加した後の異常点灯状態を観察したところ、シール材の内側領域のすべてにおいて異常点灯を生じないことが確認された。
【００７４】
なお、本発明は上述した実施形態の内容に限定されるものではなく、本発明の要旨の範囲内において種々に変形して実施をすることが可能である。例えば、上記した実施形態ではシール材１９に導電性粒子を含有させ異方性のある導通部として電気的接続を行っているが、電気的接続方法はこれに限らない。電気的接続を要する部位にＡｇペースト、カーボンペーストなどの導電性材料をポッティングやスクリーン印刷などで選択的に配置して接続部を設けて電気的接続を行っても構わない。Ａｇペースト、カーボンペーストなどの導電性材料はシール材１９の内部あるいは近傍のいずれにも配置可能である。
【符号の説明】
【００７５】
１１：第１基板
１２：第２基板
１３：第１電極
１４：第２電極
１５：第１配向膜
１６：第２配向膜
１７：液晶層
１９：シール材
２１：第１偏光板
２２：第２偏光板
【図１】
2017211606.tif 000003
【図２】
2017211606.tif 000004
【図３】
2017211606.tif 000005
【図４】
2017211606.tif 000006
【図５】
2017211606.tif 000007
【図６】
2017211606.tif 000008
【図７】
2017211606.tif 000009
【図８】
2017211606.tif 000010
【図９】
2017211606.tif 000011